(57)【要約】      （修正有）【課題】構造が簡単で、着脱操作も簡単に行え、低コストで製造できる測量装置を提供する。【解決手段】一方に長く設けられ表面に目盛が設けられた標尺体１２と、標尺体をその目盛が設けられた表面を立てた状態で支持する支持部１４と、標尺体を支持部に対して磁力によって着脱自在に保持させる磁力吸着装置１６と、を備えた測量装置１０から構成される。標尺体を立てた状態で磁力吸着装置を介して支持部に保持させることで、人手を必要とせず標尺体を立てた状態で保持でき、測量及びその際の記録写真撮影を円滑に行うことができる。【選択図】図１
0003191809.tif 000002
【実用新案登録請求の範囲】
【請求項１】
一方に長く設けられ表面に目盛が設けられた標尺体と、
標尺体をその目盛が設けられた表面を立てた状態で支持する支持部と、
標尺体を支持部に対して磁力によって着脱自在に保持させる磁力吸着装置と、を備えたことを特徴とする測量装置。
【請求項２】
磁力吸着装置は、支持部に設けられた支持部側磁力吸着部と、
標尺体に設けられ、支持部側磁力吸着部と着脱自在に磁力吸着する標尺体側磁力吸着部と、を含むことを特徴とする請求項１記載の測量装置。
【請求項３】
標尺体は、扁平で細長く中空に設けられ、
標尺体側磁力吸着部は、標尺体の中空内部の一端部側に磁力吸着要素が挿入されて構成されたことを特徴とする請求項２記載の測量装置。
【請求項４】
磁力吸着装置は、支持部に設けられた支持部側磁力吸着部と、
支持部側磁力吸着部に対して着脱自在に磁力吸着し、支持部との間に標尺体を挟み付けて該標尺体を支持する磁力吸着部材と、を含むことを特徴とする請求項１記載の測量装置。
【請求項５】
支持部は、自身の重量で地面に安定的に配置される錘体からなることを特徴とする請求項１ないし４のいずれかに記載の測量装置。
【請求項６】
錘体は、標尺体の長手方向に直交する幅と同じ幅の立体形状で形成されていることを特徴とする請求項５記載の測量装置。
【請求項７】
標尺体と支持部は、平面どうしを面合わせして磁力吸着装置を介して磁力吸着するように設けられたことを特徴とする請求項１ないし６のいずれかに記載の測量装置。
【請求項８】
支持部は、立体矩形状に設けられたことを特徴とする請求項１ないし７のいずれかに記載の測量装置。
【考案の詳細な説明】
【技術分野】
【０００１】
本考案は、道路工事や土木・建築工事等で使用される測量装置に関する。
【背景技術】
【０００２】
道路工事では、道路計画地をまず掘削した後、路床、下層路盤、上層路盤、アスファルト基層及び表層が形成されていくが、各工程では、所定の計画にしたがった高さ（深さ）で施工するために、仕上げ面又は基準線からの深さを複数回にわたって測量するとともに、計画及び設計どおりに掘削等しているかを確認、管理するために記録写真を撮りながら進める必要がある。この測量及び記録写真の際には、道路幅方向に基準線となる糸を張設し、目盛と数字が施されたアルミ製ロッド等の標尺を掘削した溝内に立てて記録写真を撮っている。しかしながら、写真撮影の際には、アルミロッドが倒れないように、作業者が支えておく必要がある。深さ等を検測する際には、道路幅の両端と中間位置の１箇所又は複数個所を測る必要があるため、ロッドを支持する作業者も複数人必要となり、作業効率が悪くコスト高となっていた。また、道路幅員の長さについても同様に、設計どおりの幅員であるかを確認、管理するために巻尺式のリボンロッドで測定し、記録写真を撮っているが、上記同様にリボンロッドが倒れないように支持するために複数の作業者が必要となることから、作業効率も悪くコスト高となっていた。
【０００３】
一方、例えば、特許文献１には、道路工事現場で標尺を起立させて人手を少なくさせて記録撮影することを図る標尺支持具が開示されている。特許文献１の標尺支持具は、支柱の下端に複数の脚を取り付けると共に、前記支柱に標尺を取り付けるための支持部を設けて、支持部は、金具や螺合部、ハンドル等で構成されたものであった。
【先行技術文献】
【特許文献】
【０００４】
【特許文献１】実開平５−３６３１０号公報
【考案の概要】
【考案が解決しようとする課題】
【０００５】
しかしながら、特許文献１の標尺支持具では、標尺を支持するために金具や螺合部等で標尺を支持する構成であるから、構造が複雑で部品点数が多く、コストが高くつく問題があった。さらに、支柱の下に脚が設けられた構成でもあるから、比較的大きく重くて嵩張るものであった。上述のように記録撮影する際には、道路の両端とその間の１〜複数個所に標尺を立てる必要があるから、支持具も複数必要となるため、持ち運びに不便であり使い勝手が悪かった。また、特許文献１の標尺支持具では、リボンロッドのように可撓性の巻尺のようなタイプの標尺を同時に支持することが困難ないし不可能であり、リボンロッドで幅員を測量する際には複数の作業者が必要となったり別のリボンロッド用の道具を用意することとなり大きなコスト低減を実現できない問題があった。
【０００６】
本考案は上記従来の課題に鑑みてなされたものであり、その一つの目的は、構造が簡単で、着脱操作も簡単に行え、低コストで製造できる測量装置を提供することにある。その他の目的は、定規のような直板状のタイプや巻尺のような可撓性タイプの標尺にも適用できる測量装置を提供することにある。
【課題を解決するための手段】
【０００７】
上記課題を解決するために本考案は、一方に長く設けられ表面に目盛が設けられた標尺体１２、１２Ａと、標尺体１２、１２Ａをその目盛が設けられた表面を立てた状態で支持する支持部１４と、標尺体１２、１２Ａを支持部１４に対して磁力によって着脱自在に保持させる磁力吸着装置１６、１６Ａと、を備えた測量装置１０、１０−２から構成される。
【０００８】
また、磁力吸着装置１６は、支持部１４に設けられた支持部側磁力吸着部２６と、標尺体１２、１２Ａに設けられ、支持部側磁力吸着部２６と着脱自在に磁力吸着する標尺体側磁力吸着部２４と、を含むこととしてもよい。
【０００９】
また、標尺体１２は、扁平で細長く中空に設けられ、標尺体側磁力吸着部２４は標尺体１２の中空内部の一端部側に磁力吸着要素（２５）が挿入されて構成されたこととしてもよい。
【００１０】
また、磁力吸着装置１６Ａは、支持部１４に設けられた支持部側磁力吸着部２６と、支持部側磁力吸着部２６に対して着脱自在に磁力吸着し、支持部１４との間に標尺体１２Ａを挟み付けて該標尺体１２Ａを保持する磁力吸着部材２８と、を含むこととしてもよい。
【００１１】
また、支持部１４は、自身の重量で地面に安定的に配置される錘体２２からなることとしてもよい。錘体２２は、例えば、金属、コンクリート自体を加工又は成型したものでもよいし、箱やフレームに金属やコンクリートを組み付けて重量化したものでもよい。
【００１２】
また、錘体２２は、標尺体の長手方向に直交する幅と同じ幅の立体形状で形成されていることとしてもよい。
【００１３】
また、標尺体１２、１２Ａと支持部１４は、平面どうしを面合わせして磁力吸着装置１６を介して磁力吸着するように設けられたこととしてもよい。
【００１４】
また、支持部１４は、立体矩形状に設けられたこととしてもよい。支持部１４は、例えば、立方体形状又は直方体形状に設けられることとしてもよい。
【考案の効果】
【００１５】
本考案の測量装置によれば、一方に長く設けられ表面に目盛が設けられた標尺体と、標尺体をその目盛が設けられた表面を立てた状態で支持する支持部と、標尺体を支持部に対して磁力によって着脱自在に保持させる磁力吸着装置と、を備えたことから、標尺体と支持部との着脱操作を簡単に行えるとともに、構造が簡単で部材点数も少なくて済み、低コストで製造することができる。さらに、標尺体と支持部との着脱操作を簡単に行える。
【００１６】
また、磁力吸着装置は、支持部に設けられた支持部側磁力吸着部と、標尺体に設けられ、支持部側磁力吸着部と着脱自在に磁力吸着する標尺体側磁力吸着部と、を含む構成とすることにより、部品点数が少なく、既存の標尺ロッド等を利用して低コストで製造することができる。
【００１７】
また、標尺体は、扁平で細長く中空に設けられ、標尺体側磁力吸着部は標尺体の中空内部の一端部側に磁力吸着要素が挿入されて構成されたことにより、例えば、既存のニューアルロッド等を利用して簡単にかつ低コストで製造することができる。また、複数の測量装置を重ねることができるので、持ち運びや保管の際に場所をとらず便利である。
【００１８】
また、磁力吸着装置は、支持部に設けられた支持部側磁力吸着部と、支持部側磁力吸着部に対して着脱自在に磁力吸着し、支持部との間に標尺体を挟み付けて該標尺体を支持する磁力吸着部材と、を含む構成とすることにより、例えば、リボンロッドのように薄い可撓性の標尺体を目盛が設けられた表面を立てて支持できる測量装置を低コストで具体的に実現することができる。
【００１９】
また、支持部は、自身の重量で地面に安定的に配置される錘体からなる構成とすることにより、簡単な構造で製造できるとともに、錘体により比較的小型でも安定して標尺体を立てた状態で保持できる。
【００２０】
また、錘体は、標尺体の長手方向に直交する幅と同じ幅の立体形状で形成されている構成とすることにより、道路工事で記録撮影する際に支持部が目立たないうえ、持ち運びや保管する際に場所をとらず便利である。
【００２１】
また、標尺体と支持部は、平面どうしを面合わせして磁力吸着装置を介して磁力吸着するように設けられた構成とすることにより、標尺体を支持部に対して自在に回動させたり、標尺体の長手方向にさせて支持部を装着したりすることができるので道路の幅方向の勾配や進路方向の勾配にあわせて標尺体を鉛直に立てた状態で保持することができる。また、標尺体と支持部との着脱操作を手軽に短時間で行える。また、標尺体と支持部との磁力吸着部分に他の標尺体を支持して２つの標尺体を同時に保持することができ、使い勝手を向上できる。
【００２２】
また、支持部は、立体矩形状に設けられた構成とすることにより、簡単な構造で地面に安定して設置することができる。また、複数の測量装置を重ねる際にも安定して重ねることができるので保管や持ち運びに便利である。
【図面の簡単な説明】
【００２３】
【図１】本考案の第１の実施形態に係る測量装置の斜視図であり、（ａ）は標尺体と支持部とを磁力吸着させた状態、（ｂ）は分離させた状態の説明図である。
【図２】図１の測量装置の正面図である。
【図３】図１の測量装置の側面図である。
【図４】（ａ）は図１の測量装置のＡ−Ａ線断面図の下部拡大図、（ｂ）はその分解説明図である。
【図５】道路工事現場で図１の測量装置を利用して測量する際の作用説明図の一例である。
【図６】図５の斜視説明図である。
【図７】図６の測量装置の分解状態での側面説明図である。
【図８】幅方向に勾配がある道路工事現場での図１の測量装置の作用説明図である。
【図９】走行方向に勾配がある道路工事現場での図１の測量装置の作用説明図である。
【図１０】図１の測量装置を複数個重ねた状態の説明図である。
【図１１】本考案の第２の実施形態に係る測量装置の斜視図である。
【考案を実施するための形態】
【００２４】
以下、添付図面を参照しつつ本考案の測量装置の実施の形態について説明する。本考案の測量装置は、例えば、道路やその他の現場での工事等の際の測量及び記録撮影等に利用される検測用の道具である。図１ないし図１０は、本考案の測量装置の第１の実施形態を示している。図１、図２、図３に示すように、本実施形態において、測量装置１０は、標尺体１２と、支持部１４と、磁力吸着装置１６と、を備えている。
【００２５】
図１、図２、図３に示すように、標尺体１２は、一定の幅で一方に長く形成されており、少なくとも１つの表面に目盛や数字が施されている標尺である。なお、図２以外の図では目盛の一部を省略して示している。本実施形態では、標尺体１２は、例えば、定規のように扁平で細長い直線板状に形成されている。具体的には、標尺体１２は、周知のニューアルロッド等のアルミ製ロッドからなり、約６ｃｍ程度の幅で５０ｃｍの長さとなっている。なお、標尺体１２の長さや幅は任意でよく、例えば、長さが３０ｃｍ、１ｍ等、その他のものでもよい。図１、図３、図４に示すように、標尺体１２は、例えば、厚みが約５〜６ｍｍ程度で形成されているが、内部が中空で扁平中空角筒状に形成されており、長手方向両端を開口しその開口をキャップ部材２０で閉鎖している。なお、標尺体１２を形成するアルミニウム板は比較的厚みが薄く設けられるとともに、中空内部の幅方向中央位置には補強のための内部壁１８が固定されており、中空内部は２つに分割されている。図示しないが標尺体１２のもう一方の表面にも目盛及び数字が施されている。なお、図２では、標尺体表面の数字は長手方向を縦に立てた状態で正対するように表示されているが、標尺体の長手方向を横に向けた状態で正対するように横向きに表示されていてもよい。例えば、標尺体１２の一方の表面には数字を縦向きに、他方の表面には数字を横向きに表示してもよい。
【００２６】
支持部１４は、標尺体１２の目盛が設けられている表面を立てた状態で該標尺体１２を支持するための支持手段であり、後述の磁力吸着装置１６と協働して人手を要さずに標尺体１２を自立保持する。図１、図２、図３に示すように、本実施形態では、支持部１４は、例えば、自身の重量で地面に安定的に配置される錘体２２からなる。錘体２２は、例えば、コンクリートを型枠に入れて成型したコンクリート二次製品であり、立方体に近い直方体状に形成されている。錘体２２は、例えば、縦（高さ）が約６ｃｍ、横幅が約６ｃｍ、奥行きが約６．５ｃｍのサイズの立体矩形箱状となっており、標尺体１２の幅と略同じ幅で設けられている。錘体２２は、例えば、縦に配置される標尺体１２の下端部に後述の磁力吸着装置１６を介して磁力吸着され、標尺体１２と錘体２２とを装着した状態を側面から見ると、横が短い略Ｌ字状に構成されて地面に自立する。さらに、標尺体１２を支持部１４に保持させた状態では、正面視では支持部１４が標尺体１２の裏に隠れて見えないようにすることができる。なお、支持部１４は、１つの標尺体１４に複数個磁力吸着することとしてもよい。また、１つ支持部１４に、複数の標尺体１４を磁力吸着することとしてもよい。
【００２７】
磁力吸着装置１６は、標尺体１２を支持部１２に対して磁力によって着脱自在に保持させる磁力吸着手段である。本実施形態では、磁力吸着装置１６は、例えば、標尺体１２に設けられた標尺体側磁力吸着部２４と、支持部１４に設けられた支持部側磁力吸着部２６と、を含む。標尺体側磁力吸着部２４は、標尺体１２の下端側である程度の長さの領域に設けられている。図４に示すように、標尺体側磁力吸着部２４は、例えば、磁力吸着要素として薄い鉄板２５を有しており、該鉄板２５を標尺体１２の内部に挿入して固定することで構成されている。図４では、２つの鉄板２５が内部壁１８を挟んで区画された２つの内部空間内に該板面を標尺体の表面と平行に向けて配置されている。図１に示すように、支持部側磁力吸着部２６は、例えば、標尺体側磁力吸着部２４に対して磁力を介して着脱自在に磁力吸着する磁力吸着要素としての磁石２７を有する。支持部側磁力吸着部２６は、例えば、直方体の１つの面に２つの磁石２７を縦（又は横に）並べて該磁石２７の一つの面を露出させた状態で埋設することにより設けられている。したがって、標尺体１２と支持部１４は、平面どうしを面合わせして磁力吸着装置１６を介して磁力吸着するように設けられている。これにより、例えば、図５、図６、図７に示すように、比較的厚みの薄いリボンロッド等の他の標尺体（１２Ａ）の端部又は中間部を標尺体１２と支持部１４との間に挟み付けて磁力吸着装置１６を介して保持することで、標尺体１２と他の標尺体１２Ａ等を同時に支持させて記録写真を取ることができる。また、例えば、標尺体１２の下端に支持部１４の底面が揃った状態で装着できる一方で、図８に示すように、支持部１４に対して標尺体１２を自在に回動させて任意の位置で保持することができる。さらに、例えば、図９に示すように、支持部１４を標尺体１２の下端より少しずらした状態で磁力吸着することができる。これにより、道路工事現場が平坦な場所にかぎらず、勾配がついている場合でも、その状況に応じて標尺体を鉛直に立てた状態で支持することもできる。
【００２８】
なお、標尺体側磁力吸着部２４に磁石を設け、支持部側磁力吸着部２６が鉄等の強磁性体を有する構成でもよく、標尺体側磁力吸着部２４及び支持部側磁力吸着部２６の両方が磁石を有する構成としてもよい。標尺体側磁力吸着部２４や支持部側磁力吸着部２６には、それぞれ１個又は３個以上の複数個の磁石や鉄を固定して構成することとしてもよい。また、標尺体側磁力吸着部２４は、標尺体１２の外面側に磁石や鉄等を組み付ける構成としてもよい。標尺体側磁力吸着部２４は、標尺体１２の長手方向の任意の複数位置に複数又は長手方向全体に形成されていてもよい。すなわち、磁力吸着装置１６は、標尺体１２の長手方向の任意の位置に支持部１４が磁力吸着されるように構成されてもよい。また、支持部側磁力吸着部２６は、立体矩形状の一面全体に板磁石等を固定した構成でもよいし、又は支持部１４の内部に磁石や鉄等を露出させないように埋め込ませる構成としてもよい。また、支持部１４は、地面に安定して設置されるものであれば、任意の形状又は任意の構造でもよい。例えば、支持部１４は、Ｌ字状、三角柱状等の多角形状、半円柱状等、その他任意の構造でもよい。また、標尺体は上述のような定規状のものに限らず、図１１に示すような巻尺状のリボンロッドで構成されていてもよい。
【００２９】
次に、図５ないし図１０を参照しつつ本実施形態にかかる測量装置１０の作用について説明する。図５、図６、図７では、例えば、リボンロッドからなる他の標尺体１２ａを同時に利用する例で説明する。例えば、道路工事現場にて掘削した深さを測量する際には、図５に示すように、糸張り装置ＴＬ等を利用して基準線となる糸ＳＴを張設する。図６、図７にも示すように、標尺体１２の下端と支持部１４との間に道路の幅方向に伸ばした他の標尺体１２ａを挟み付けて磁力吸着装置１６を介して標尺体１２と他の標尺体１２ａを保持した状態で地面に設置する。この際、標尺体１２の下端と支持部１４の底面を揃えて磁力吸着される。測量装置１０は、支持部１４の底面を地面に置くだけで、標尺体１２は支持部１４により目盛が形成された表面を正面に向けて縦に立てた状態で自立支持される。同時に他の標尺体１２ａも目盛が形成された表面を立てて支持される。これらの測量装置１０を道路の幅方向両端側と中間位置に複数個設置して、糸ＳＴが標尺体の目盛のどの位置を通過しているかを見て掘削深さを測量し記録撮影を行える。これにより、道路工事において、多数の人手を必要としないで測量等の作業を行うことができるとともに、掘削した深さと幅員の長さを同時に測量して記録撮影でき、効率良く作業できる。なお、他の標尺体１２ａを使用しない場合には測量装置１０だけを地面において測量等の作業を行う。また、例えば、錘体２２の上に同じ立体矩形状の他の錘体を重ねて、すなわち支持部である錘体を上下に２個重ねて、標尺体１２に磁力吸着することとしてもよい。この場合、２個の錘体の重量によって安定性を向上することができ、測量装置１０が強風でも倒れにくく、良好に標尺体１２を立てた状態を保持しながら作業することができる。
【００３０】
図８に示すように、例えば、道路の幅方向について勾配がある場所にて測量装置１０を使用する際には、磁力吸着させた状態で支持部１４に対して標尺体１２を回動させて該標尺体１２を鉛直状に立てて測量や記録写真撮影を行うこともできる。さらに、図９に示すように、道路の走行方向に勾配がある現場にて測量装置１０を使用する際には、標尺体１２の長手方向に沿って支持部１４をずらした状態で磁力吸着させて、該標尺体１２を鉛直状に立てた状態で測量や記録写真撮影を行うこともできる。このように支持部１４に対して標尺体１２の支持状態を変更できるので、現場状況に応じて広く測量装置１０を適用することができ、使い勝手を向上しうる。また、図１０に示すように、測量装置１０を持ち運んだり保管したりする場合には、標尺体１２の板面どうしを重ねるとともに立体矩形状の支持部１４どうしを重ねることで、複数個（図１０上では５個）を重ねてコンパクトな状態とすることができる。これにより、複数の測量装置１０を、場所をとらず、例えば、片手だけでも複数個を手軽に持ち運ぶことができ、現場でも円滑に設置、撤去を行うことができ、測量及び記録写真撮影の作業性を向上できる。
【００３１】
次に図１１を参照しつつ本実施形態の測量装置の第２の実施形態について説明する。上記した第１実施形態と同一構成、同一部材には、同一符号を付し、その詳細な説明は省略する。本実施形態にかかる測量装置１０−２では、支持部１４は上記第１実施形態と同じ構成であるが、標尺体１２Ａと磁力吸着装置１６Ａの構成が異なっている。標尺体１２Ａは、例えば、巻尺のように可撓性がある素材で帯状に設けられたリボンロッドからなる。標尺体１２Ａは、例えば、幅が６ｃｍ程度、長さが５ｍ、厚みが０．６〜０．７ｍｍ程度に設けられている。なお、標尺体１２Ａの長さや幅、厚み等は任意でもよい。
【００３２】
磁力吸着装置１６Ａは、例えば、支持部１４に設けられた支持部側磁力吸着部２６と、支持部側磁力吸着部１４に対して着脱自在に磁力吸着する磁力吸着部材２８と、を含む。磁力吸着部材２８は、例えば、比較的小さな鉄片又は磁石からなり、支持部１４との間に厚みの薄い標尺体１２Ａを挟み付けて支持部側磁力吸着部２６と磁力吸着することにより該標尺体１２Ａを支持部１４に保持させることができる。例えば、道路工事において、道路の幅員を測量及び記録撮影する際には、道路の両端と中間位置の１〜３か所に支持部１４を設置し、磁力吸着装置１６Ａを介して標尺体１２Ａをその目盛が形成された表面を立てた状態で保持することができ、多数の人手を必要としないで円滑に作業を行うことができる。なお、磁力吸着装置は、標尺体１２Ａ自体に金具や金属鋲等や磁石を取り付けて標尺体側磁力吸着部を構成することとしてもよい。
【００３３】
以上説明した本考案の測量装置は、上記した実施形態のみの構成に限定されるものではなく、実用新案登録請求の範囲に記載した本考案の本質を逸脱しない範囲において、任意の改変を行ってもよい。
【産業上の利用可能性】
【００３４】
本考案の測量装置は、道路工事等の際に掘削深さや道路幅員等を測量する際やその他の測量の際に好適に利用される。
【符号の説明】
【００３５】
１０    測量装置
１２、１２Ａ    標尺体
１４    支持部
１６、１６Ａ    磁力吸着装置
２２    錘体
２４    標尺体側磁力吸着部
２５    鉄板
２６    支持部側磁力吸着部
２８    磁力吸着部材
【図１】
0003191809.tif 000003
【図２】
0003191809.tif 000004
【図３】
0003191809.tif 000005
【図４】
0003191809.tif 000006
【図５】
0003191809.tif 000007
【図６】
0003191809.tif 000008
【図７】
0003191809.tif 000009
【図８】
0003191809.tif 000010
【図９】
0003191809.tif 000011
【図１０】
0003191809.tif 000012
【図１１】
0003191809.tif 000013